(57)【要約】  【課題】  従来の携帯等香水ケースでは、自分１人で愉しむだけで、携帯時は使えないものや、又、容積や断面積の大きな香水液吸収体を使用して高価な香水を多く必要としたり、揮発部分が大きいために強烈な香りを発散する等の不具合を有していた。【解決手段】  この発明は、ほのかな香りを長時間に亘って身の廻りに漂わせようとするもので、携帯ケースに内装する香液を、狭い通路又は空間内に毛細管現象を利用して案内し、出口部の絞り開口を介して外部発散することで、ケースを反転しても液漏れを起こさず、微量の香液で長時間に亘って香りを発散させる。【選択図】  図１
2015091287.tif 000002
【特許請求の範囲】
【請求項１】
所定外径有底筒状の基本筒部（１）と所定外径有底筒状の蓋体筒部（２）で両者内側間の対向筒部を嵌合部（３）を介して組付け、蓋体筒部（２）内周部に、揮発室（４）または揮発開口（１３）部を有する香気保持体（５）の基端部を取付け、蓋体筒部（２）の有底壁（６）に香気通路（７）を開口することを特徴とした香りケース。
【請求項２】
嵌合部（３）は雄ネジ（８）と雌ネジ（９）のネジ嵌合とし、さらに筒部の両外側端部を夫々径小外径の径小筒部（１０）と径小蓋部（１１）とし、この径小蓋部（１１）内周部の取付孔（１２）に香気保持体（５）の外側端部を嵌入することを特徴とした請求項１記載の香りケース。
【請求項３】
香気保持体（５）は、略等径で細長い揮発筒（１８）と、その外周囲を覆う外周パイプ（２３）と、外周パイプ（２３）から内端方向に突設する細管パイプ（１４）の組合せであって、揮発筒（１８）の基端側を小径とした外方細径筒部（２６）とし、内端側に香液通過間隙（２８）を設け、その揮発筒（１８）外周面に1本の螺旋小溝（１７）を刻設し、細管パイプ（１４）内には、先端開口部（３２）付きの1本の小孔（３１）を設けていることを特徴とした請求項１乃至２記載の香りケース。
【請求項４】
香気保持体（５ａ）は、略等径で細長い浸透性材から成る香気保持筒（１８ａ）と、その外周囲を覆う外周パイプ（２３）と、外周パイプ（２３）から内端方向に突設する細管パイプ（１４）の組合せとし、香気保持筒（１８ａ）の基端側に揮発開口(１３)部を臨ませ、内端側に香液吸入端部（２８ａ）を位置させ、細管パイプ（１４）内には、先端開口部（３２）付きの1本の小孔（３１）を設けていることを特徴とした請求項１乃至２記載の香りケース。
【請求項５】
香気保持体（５ｂ）は、外周パイプ（２３）内周の基端側に略等径で細長い非浸透性材から成り外周面に１本の短螺旋小溝（１７ｃ）を刻設した短揮発筒（１８ｃ）を配設し、内端側に浸透性材から成る短香気保持筒（１８ｂ）とを配し、外周パイプ（２３）の内端からさらに内方側に突設する細管パイプ（１４）を設け、この細管パイプ（１４）内には、先端開口部（３２）付きの1本の小孔（３１）を設けていることを特徴とした請求項１乃至２記載の香りケース。
【請求項６】
ケース体筒部両外端の径小筒部（１０）と径小蓋部（１１）部分には、同内径とした密閉キャップ（１９）または通路付きキャップ（２０）の何れかを着脱自由に取付けることを特徴とした請求項１乃至５記載の香りケース。
【発明の詳細な説明】
【技術分野】
【０００１】
本発明は、高価な香水液を少しの量であっても、長時間に亘ってほのかな香りを楽しもうとする携帯用香りケースに関する。
【背景技術】
【０００２】
従来の香水は、本人の体臭を消し、香りをつけるために用いられることが多く、首廻りや脇下や手首等の皮膚面に直接塗布したり、着衣や帽子や手袋等に噴霧散布する場合が通常であった。
しかし、このような使用状態では、揮発当初に置いては強烈な香りが漂い他人に不快感を与えたり、着衣や他物に香水液染みを付けたり、高価な香水液を多く消費して維持費が増えるものと成っていた。
【０００３】
また、日本においては、ほのかな残り香を愉しむために、香袋を用いたり着衣にお香の匂いをたきこむ等の、優雅な作法も残っている。
そこで現代でも、なるべく香りを抑えながら、個性的な香りを漂わせるために、耳たぶや手首内側等に、香水一滴を付ける等している。
これ等の場合は、暑くて汗をかいたり、顔や手・腕を洗うと、香の匂いが消滅したり変動してしまい、香りを安定して持続発生することが難かしかった。
【先行技術文献】
【特許文献】
【０００４】
【特許文献１】特開平０７−３１３６００号公報
【特許文献２】特開２００２−０５８５３０号公報
【特許文献３】特開２０１１−０３０９９９号公報
【発明の概要】
【発明が解決しようとする課題】
【０００５】
本発明で解決しようとする課題は、従来使用時の香水の強烈な香りを抑え、高価な香水であってもほのかな香りを永い時間に亘って発散させ、揮発通路の形状や断面積を絞ることで香水の使用量を減じ、揮発室又は揮発開口経由で香水の外部発散を行なうことで、自分の好きな香り、ほのかな匂いを低コストで愉しみながら、外部への液ダレや液ジミ等の不具合は防止しようとするものである。
【課題を解決するための手段】
【０００６】
この発明は、前記課題を解決するために、次のような技術的手段を講じている。
まず、請求項１に記載の発明は、所定外径有底筒状の基本筒部（１）と所定外径有底筒状の蓋体筒部（２）で両者内側間の対向筒部を嵌合部（３）を介して組付け、蓋体筒部（２）内周部に、揮発室（４）または揮発開口（１３）部を有する香気保持体（５）の基端部を取付け、蓋体筒部（２）の有底壁（６）に香気通路（７）を開口することを特徴とした香りケースの構成とする。
【０００７】
この構成としたことにより、基本筒部（１）と蓋体筒部（２）を嵌合部（３）で一体化して空洞筒のケース体を構成し、このケース体内の開口部分である香気通路（７）に内接するように、香気保持体（５）の揮発室（４）または揮発開口（１３）部を取り付けるので、揮発室（４）または揮発開口（１３）部から発散する香気をケース体外部に発散容易としながら、香気保持体（５）内部で、香気剤の急劇な揮発変化を抑制することが容易に行なえる。
【０００８】
つぎに、請求項２に記載の発明は、嵌合部（３）は雄ネジ（８）と雌ネジ（９）のネジ嵌合とし、さらに筒部の両外側端部を夫々径小外径の径小筒部（１０）と径小蓋部（１１）とし、この径小蓋部（１１）内周部の取付孔（１２）に香気保持体（５）の外側端部を嵌入することを特徴とした請求項１記載の香りケースの構成とする。
【０００９】
この構成としたことにより、香気保持体（５）のケースへの取り付けが、蓋体筒部（２）の径小の取付孔（１２）に保持体の基端部を嵌めることで確実に行い得、また、基本筒部（１）と蓋体筒部（２）の分離が、ネジを緩めることで簡単に行なえるから、香水液の補充や香気保持体（５）廻りの清掃も手軽にできる。
【００１０】
そして、請求項３に記載の発明は、香気保持体（５）は、略等径で細長い揮発筒（１８）と、その外周囲を覆う外周パイプ（２３）と、外周パイプ（２３）から内端方向に突設する細管パイプ（１４）の組合せであって、揮発筒（１８）の基端側を小径とした外方細径筒部（２６）とし、内端側に香液通過間隙（２８）を設け、その揮発筒（１８）外周面に1本の螺旋小溝（１７）を刻設し、細管パイプ（１４）内には、先端開口部（３２）付きの1本の小孔（３１）を設けていることを特徴とした請求項１乃至２記載の香りケースの構成とする。
【００１１】
この構成としたことにより、香気保持体（５）は、香液吸入側の１本の小孔（３１）から香液通過間隙（２８）を経た香液を、螺旋小溝（１７）へと1本の小断面の液路を経るように送り、その後香気体として揮発室（４）または揮発開口（１３）部から外部発散を行なうという、少量香液の香気保持部を簡単に構成でき、低コストで高性能の、ほのかな香り保持体を具現化できる。
【００１２】
また、請求項４記載の発明は、香気保持体（５ａ）は、略等径で細長い浸透性材から成る香気保持筒（１８ａ）と、その外周囲を覆う外周パイプ（２３）と、外周パイプ（２３）から内端方向に突設する細管パイプ（１４）の組合せとし、香気保持筒（１８ａ）の基端側に揮発開口(１３)部を臨ませ、内端側に香液吸入端部（２８ａ）を位置させ、細管パイプ（１４）内には、先端開口部（３２）付きの1本の小孔（３１）を設けていることを特徴とした請求項１乃至２記載の香りケースの構成とする。
【００１３】
この構成とすることにより、香液吸入側の小孔（３１）を経た香液を、香液吸入端部（２８ａ）から香気保持筒（１８ａ）の浸透性材中に少量の香液や香り成分の気体として吸入し残留し保持しておくことができると共に、基端側の揮発開口(１３)部に向かって浸透性材中の複数個所を、少量の香液や香気が連続して移動するから、安定した香気を長期に亘って供給できる。
【００１４】
さらに、請求項５記載の発明は、香気保持体（５ｂ）は、外周パイプ（２３）内周の基端側に略等径で細長い非浸透性材から成り外周面に1本の短螺旋小溝（１７ｃ）を刻設した短揮発筒（１８ｃ）を配設し、内端側に浸透性材から成る短香気保持筒（１８ｂ）とを配し、外周パイプ（２３）の内端からさらに内方側に突設する細管パイプ（１４）を設け、この細管パイプ（１４）内には、先端開口部（３２）付きの1本の小孔（３１）を設けていることを特徴とした請求項１乃至２記載の香りケースの構成とする。
【００１５】
そして、この構成とすることにより、香液吸入側の小孔（３１）を経た香液を、短香気保持筒（１８ｂ）の浸透性材中に少量の香液や香り成分として残留しておきながら、その外方の短揮発筒（１８ｃ）の１本の短螺旋小溝（１７ｃ）を経て外部へと、小溝で絞りながら香気を永く排出案内することができる。
【００１６】
また、請求項６記載の発明は、ケース体筒部両外端の径小筒部（１０）と径小蓋部（１１）には、同内径とした密閉キャップ（１９）（１９ａ）または通路付きキャップ（２０）（２０ａ）（２０ｂ）の何れかを着脱自由に取付けることを特徴とした請求項１乃至５記載の香りケースの構成とする。
【００１７】
この構成としたことにより、香りケースの径小蓋部（１１）に設けた香気通路（７）（７ａ）を密閉キャップ（１９）（１９ａ）で覆うと香気のケース外飛散を防止でき、香気通路（７）（７ａ）を通路付きキャップ（２０）（２０ａ）（２０ｂ）で覆う時は香気の飛散が自由となる。そして、非使用時のキャップは、径小筒部（１０）に固定しておけるから、夫々のキャップを無くすことも防げる。
【発明の効果】
【００１８】
まず、請求項１の発明は、基本筒部（１）と蓋体筒部（２）を嵌合部（３）で一体化して空洞筒のケース体を構成し、このケース体内の開口部分である香気通路（７）に内接するように、香気保持体（５）の揮発室（４）または揮発開口(１３)部を取り付けているので、揮発室（４）や揮発開口(１３)部から発散する香気をケース体外部に発散容易としながら、香気保持体（５）内部で香気剤の急劇な揮発変化を抑制することが容易に行なえる。
【００１９】
そして、請求項２の発明は、香気保持体（５）のケースへの取り付けが、蓋体筒部（２）の径小の取付孔（１２）に保持体の基端部を嵌めることで確実に行い得、また、ケース体分離が嵌合部（３）のネジを緩めることで簡単に行なえるから、香気保持体（５）への香水液の補充や、香気保持体（５）廻りの清掃が手軽に行える。
【００２０】
また、請求項３の発明は、香気保持体（５）は、香液吸入側の１本の小孔（３１）から香液通過間隙（２８）を経た香液を１本の螺旋小溝（１７）へと、常に１本の小断面の液路又は香気路を経て、その後香気体として揮発室（４）または揮発開口（１３）部から外部発散を行なうという、少量香液の香気保持部を簡単に構成でき、低コストで高性能の、ほのかな香り保持体を具現化できる。
【００２１】
さらに、請求項４の発明は、香液吸入側の小孔（３１）を経た香液を、香液吸入端部（２８ａ）から香気保持筒（１８ａ）の浸透性材中に少量の香液や香り成分として吸入し残留しておくことができると共に、大きな残留体積に比し基端側の小さな揮発開口（１３）部に向かって、浸透性材中の複数個所を香気が連続して移動するから、安定した香気を長期に亘って供給し発散することができる。
【００２２】
そして、請求項５の発明は、香液吸入側の小孔（３１）を経た香液を、短香気保持筒（１８ｂ）の浸透性材中に少量の香液や香り成分として保有しておきながら、その外方の短揮発筒（１８ｃ）の１本の短螺旋小溝（１７ｃ）で大きく絞ってから外部に香気を排出案内するので、ほのかな香りを長期間発散することができる。
【００２３】
さらに、請求項６の発明は、香りケースの径小蓋部（１１）に設けた香気通路（７）（７ａ）を密閉キャップ（１９）で覆うと香気のケース外飛散を防止でき、香気通路（７）（７ａ）を通路付きキャップ（２０）（２０ｂ）で覆う時は香気の飛散が自由となる。
そして、非使用時のキャップは、径小筒部（１０）に固定しておけるから、夫々のキャップを無くすことも防げる。
【図面の簡単な説明】
【００２４】
【図１】上方香り発散方式「Ａ」における、全体の正面断面図である。
【図２】下方香り発散方式「Ｂ」における、全体の正面断面図である。
【図３】要部の、香気保持体「１型」における、一側方斜視図である。
【図４】要部の、香気保持体「１型」における、他側方斜視図である。
【図５】要部の、他の香気保持体「２型」における、一側方斜視図である。
【図６】要部の、他の香気保持体「３型」における、一側方斜視図である。
【図７】要部の香気保持体を、別形態とした、正面断面図である。
【図８】基本筒部、単品説明用の斜視図である。
【図９】図２の、下方香り発散方式「Ｂ」における、全体斜視図である。
【図１０】図２の底面図である。
【図１１】要部の一部材である、揮発筒「１型」の拡大斜視図である。
【図１２】香気保持体「２型」における、全体の正面断面図である。
【図１３】香気保持体「３型」における、全体の正面断面図である。
【図１４】香気通路と開口通路の別図例における、展開斜視図である。
【図１５】図１４の、開口通路部の平面図である。
【図１６】図１４の、香気通路部の平面図である。
【発明を実施するための形態】
【００２５】
以下、この発明の実施の形態を、図面に基づいて具体的に説明するが、本願発明の範囲は、以下に説明する実施の形態に限定されるものではない。特段の説明が無い限り、同様の作用、効果が有るものは全て含むものである。
【００２６】
先ず、図１で示す「上方香り発散方式」の形態Ａで、説明する。
樹脂材で構成する、図例の香りケースには、公知文献と同様にクリップ（２１）が付いており、衣服類や身のまわり小物類に取り付け携帯可能としている。
図例では、クリップ（２１）が通路付キャップ（２０）と一体化しており、この通路付キャップ（２０）の開口通路（２２）と、蓋体筒部（２）の有底壁（６）に設けた香気通路（７）が、空隙（３５）を介し対向接近して臨んでいる。
【００２７】
この空隙（３５）空間に細粒度の異なるフィルター体（３６）を変更挟持する場合、粒度変更で、香気の通過時間長短を調節することができる。
蓋体筒部（２）の基端一端側である有底壁（６）側は、円筒体の外径を細くした径小蓋部（１１）としているが、蓋体筒部の外径を同寸法としキャップ内径を大きくする形態にすれば、円筒体の製作がより容易になる。
また、図例の筒体は円筒の方が製作容易であるが、角筒であっても収納室（２９）である内部空間のあるケース体で、同様の効果があれば、形状は多角形の筒体としていても良い。
【００２８】
径小蓋部（１１）内径方向には、同芯状に取付孔（１２）が設けられ、香気保持体「１型」（５）の基端部が嵌入取り付けされ、この基端部分では香気が開口（１３）を介して外気と連通可能としている。
香気保持体（５）の第１図例「１型」は、図３・図４で詳示のように、複数の部材を組み合わせて構成しており、外周パイプ（２３）内に揮発筒（１８）を挿入している。
外周パイプ（２３）は、基端部側の外径「Ｄ」部分を取付孔（１２）と略同径とし、反取付孔方向の突出端側に、細管で内部に一本の円形通路である小孔（３１）を有する細管パイプ（１４）（１４ａ）を、一体または図７で示す別体化としての取り付けとしている。
【００２９】
図７で示すものは、別構成の外周パイプ（２３ａ）と細管パイプ（１４ａ）の、二部材を組み合わせて一体化する香気筒「組」（３９）であって、外周パイプ（２３ａ）突出端側に設けた取付座（４０）の小孔（４１）に、細管パイプ（１４ａ）の一端を挿入したものであり、他端は先端開口部（３２）としている。
細管パイプ（１４ａ）は、エラストマーや軟質プラスチック材等から成る、長寸の細長い円形チューブ材を必要な長さに切断して利用するもので、等径の市販パイプを使えば、樹脂材の外周パイプ（２３ａ）に長くて細い細管パイプを一体して突出する部分が無くなり、外周パイプ（２３ａ）の製作が容易である。
この香気筒「組」（３９）は、「１型」の香気保持体（５）や、後述する「２型」の香気保持体（５ａ）、「３型」の香気保持体（５ｂ）等の、別形態の香気筒「組」（３９）として、何れに利用するのも可能である。
【００３０】
「１型」に戻って、外周パイプ（２３）の有底壁（６）接触側は一定肉厚で同芯の内方取付孔（１６）としており、この内方取付孔（１６）内に揮発筒（１８）を挿入している。
第１図例「１型」では、図４で示すように、入口側を径大とした径大内側孔（３４）としている。
図３で示すように、揮発筒（１８）は，ロケットの弾頭状に先端部をテーパー（２４）状に尖らせた形状として押込み容易とし、外周パイプ（２３）の内方取付孔（１６）内周面に、揮発筒（１８）筒体外周面を密着させ一体化している。
【００３１】
次に、第１図例「１型」の揮発筒（１８）の細部について、図３・図４・図１１を主体に説明する。
テーパー（２４）の先端面には１本の案内溝（２５）が設けられ、筒体外周面には１本の螺旋小溝（１７）が刻設されている。
外周パイプ（２３）の内方取付孔（１６）内周面に、一体取付した揮発筒（１８）筒体外周面の螺旋小溝（１７）は、毛細管現象を利用する範囲の細溝断面である時、揮発室（４）近傍まで香水液として到達する。
また、揮発筒体外周面の有底壁（６）接触側は、外方細径筒部（２６）として間隙を広くして毛細管現象を断ち、液の気化を促している。
【００３２】
揮発筒（１８）体外周面の細管パイプ（１４）接触側は、内方細径筒部（２７）として香液通過を図っている。さらに、テーパー（２４）の表面部も、外周パイプ（２３）の内方取付孔（１６）の先端テーパー面に対し、図１・図４で示すように、後述する香水液通過のため、孔内壁面との間に通過間隙（２８）を有する斜面としている。
【００３３】
先述したように、揮発筒（１８）の外方細径筒部（２６）と、外周パイプ（２３）の径大内側孔（３４）の間に設けた間隙を、揮発室（４）としている。
これ等の、細管パイプ（１４）と外周パイプ（２３）と揮発筒（１８）を一体組付化することで、図１で示す揮発室（４）付きの香気保持体「１型」（５）を構成している。
また、図７で示す別形態の香気筒「組」（３９）を、「１型」に利用しても、同効である。
【００３４】
前記の香気保持体「１型」（５）を、蓋体筒部（２）の取付孔（１２）内の外端方一部分に、揮発室（４）または開口（１３）部側が有底壁（６）の香気通路（７）に対向する如く嵌入や圧入や挿入し、または、接着剤等で一体固着の状態とすれば、蓋体筒側の部材組立ては完了する。
また、蓋体筒部（２）内端方の軸孔内周面には、雌ネジ（９）が設けられており、嵌合部（３）の説明時に後述する。
【００３５】
次に、第２図例「２型」の香気保持体（５ａ）について、「１型」と異なる点を主体に、図５・図１２で説明する。
図５で示す「２型」の香気保持体（５ａ）は、外周パイプ（２３）や細菅パイプ（１４）等を「１型」と同形部材の透明な樹脂材とし、外周パイプ（２３）内に内装する香気保持筒（１８ａ）を、「１型」とは別部材の、綿やスポンジ等の浸透性材としている。
また、図７で示す別形態の香気筒「組」（３９）を、「２型」に利用しても、同効である。
【００３６】
香気保持筒（１８ａ）は、綿やスポンジ等の浸透性材から成り、図で示すように、単品時に揮発筒（１８）と略同外形状である。
この香気保持筒（１８ａ）を、プラスチック樹脂材の外周パイプ（２３）内部に挿入すると、図１２で示す「２型」の香気保持体（５ａ）と成る。
浸透性材は、外気接触表面積が大きいと、揮発量が大と成る性質を有するので、開口（１３）側である出口側近傍のみを、図で示すように、小面積の香気発散面とし、他の入口テーパー面側から筒体外周囲を、外周パイプ（２３）の内面に押し付けて、香液や香気の保持維持力を高めている。
【００３７】
さらに、第３図例「３型」の香気保持体（５ｂ）について、図６・図１３主体で説明する。
図６で示す「３型」の香気保持体（５ｂ）は、外周パイプ（２３）や細菅パイプ（１４）等を「１型」と同部材とし、外周パイプ（２３）内の下方に内装する短香気保持筒（１８ｂ）と、上方出口側に挿入する短揮発筒（１８ｃ）を、別部材としている。
【００３８】
短香気保持筒（１８ｂ）は、綿やスポンジ等の浸透性材から成り、短揮発筒（１８ｃ）は「１型」と同素材のプラスチック樹脂材とし、両部材を組み付けると図１３で示すように、「１型」の揮発筒（１８）全体と、外形を略同形状としている。
また、図７で示す別形態の香気筒「組」（３９）の構成を、「３型」に利用しても、同効である。
「３型」は、「１型」と「２型」の折衷案であり、以下、特徴点を説明する。
【００３９】
「１型」が、長期間に亘り仄かな香りを発散し、「２型」が、大容量の浸透性材により多くの香気や香液を保有し、絞り部を少なくして香気を出し易くするものに対し、「３型」は、中程度の容量の浸透性材である短香気保持筒（１８ｂ）と、絞り部である短螺旋小溝（１７ｃ）とにより、細菅パイプ（１４）の小孔（３１）から吸引する香水液を、短香気保持筒（１８ｂ）部の浸透性材中で、液体又は気化させて保有し、絞り部である短螺旋小溝（１７ｃ）部では、液体の場合ゆっくりと螺旋小溝に送りながら揮発室で気化させ、気化状態の香気を搬送する時は、絞り部で目詰まりを生じず香気の流れを阻害しないものとしている。
【００４０】
次に、基本筒部（１）側の部材について、説明する。
図１・図８で示す基本筒部（１）は、透明樹脂材から成る有底筒状の構成としており、図例では円筒状の収納室（２９）を設けている。
そして、外方端部は細径の径小筒部（１０）とし、内端細径軸筒（３０）部に雄ネジ（８）を設け、前述した蓋体筒部（２）の雌ネジ（９）と、この雄ネジ（８）とを係合締め付ける嵌合部（３）としている。
【００４１】
この嵌合部（３）を介して、基本筒部（１）と、香気保持体（５）を内装した蓋体筒部（２）を一体化すると、香りケース本体「Ｋ」が出現する。
この香りケース本体「Ｋ」は、図１で示す「上方香り発散方式」である形態Ａに於いても、図２として後述する「下方香り発散方式」である形態Ｂに於いても、単に上下反転して使用するだけで、同部品の構成としている。
【００４２】
図１で示すように、「上方香り発散方式」の形態Ａでは径小蓋部（１１）に、開口通路（２２）を有しクリップ（２１）付きの通路付キャップ（２０）を取り付け、径小筒部（１０）に、密閉キャップ（１９）を被せている。
香りの発散を規制する時は、図例上下の夫々のキャップを入れ替えて取り付けると、香気通路（７）を密閉キャップ（１９）が密閉する。
【００４３】
また、別形態から成る香気の外部発散調整構成について、図１２乃至図１６を主体に説明する。
香気の発散量が大きく変動すると、ほのかな良い匂いであっても、きつい悪い匂いに感じたり、匂いが薄れる等の不具合を感じることがある。
図１２・図１３の断面図で示す、「２型・３型」の香気保持体（５ａ）・（５ｂ）に折り込んだ香気の外部発散調整構成は、図１４の展開斜視図として示しているが、これは、「１型」の香気保持体（５）に折り込んでも、同効である。
【００４４】
蓋体筒部（２）と径小蓋部（１１）は「１型」と同構成で、異なる点は図で示すように、先ず、有底壁（６ａ）に開口する香気通路（７ａ）の数を、半減する事と、他側の壁面に半円弧状の突起である開口通路閉鎖壁（３７）と、天井面（３８）を設けている点である。
さらに、通路付キャップ（２０ｂ）に開口する通路の数を、図示のように半減した開口通路（２２ａ）とした点である。
【００４５】
この変更点による形態の、香気の外部発散調整を行うには、図１４の展開斜視図状態の通路付キャップ（２０ｂ）を、同じ向きで蓋体筒部（２）の径小蓋部（１１）に取り付けた、図１２で示す断面図状態から、図１５平面図で示す矢印Ｆ方向に１８０度回転して、図１３で示す断面図状態まで通路付キャップ（２０ｂ）を回転する。
【００４６】
この回転操作時に、開口通路（２２ａ）が、開口通路閉鎖壁（３７）の天井面（３８）に回転接触し通路を閉鎖していく毎に、香気の外部発散が制限される。
矢印Ｆ方向に回転を続けるか、反転して図１２・図１４の状態まで移動すれば、香気の外部発散は全開位置になる。
このように、香気発散は有段階としても、開閉調節できる。
【００４７】
次に、ケース体内部での香気の流れや、各部の作用について説明する。
香りケース本体「Ｋ」の嵌合部（３）を緩め方向に回転して、筒体蓋部（２）に香気保持体（５）（５ａ）（５ｂ）を内装したまま香りケース本体を２分割する。
基本筒部（１）や細菅パイプ（１４）（１４ａ）等を透明材としておくと、分割前に内部の香液状態を外から覗くことが可能である。
分割後、筒体蓋部（２）の嵌合部（３）から外方に大きく突出する細管パイプ（１４）（１４ａ）の先端開口部（３２）を香水液に浸す。
【００４８】
細管パイプ（１４）（１４ａ）内には、液体を毛細管現象で上方移動させる微小な内径を有する１本の小孔（３１）が設けられており、先端開口部（３２）から吸引される香水液は、小孔（３１）を経て、［１型］の香気保持体（５）で説明すると、揮発筒（１８）の先端に設けた案内溝（２５）から微小な通過間隙（２８）を経て、１本の螺旋小溝（１７）に達する。
図示しないが、小孔（３１）の内周壁面には、軸方向に複数本の細凹溝、または細凸溝を設けておくと、平滑面よりも吸引力を増やすことができる。
【００４９】
螺旋小溝（１７）下端に達した香水液は、今度は液体を毛細管現象で上方移動させる微小な１本の螺旋小溝（１７）に沿って揮発室（４）方向に移動する。
本発明「１型」では、この小孔（３１）と通過間隙（２８）と螺旋小溝（１７）等との合計容積を１本の小孔や狭隘間隙や小溝とすることで、微細な全体液の容量として香水液使用量を少なくしている。
【００５０】
１本の螺旋小溝（１７）の出口近傍に達した香水液は、広い空間の揮発室（４）入口部で気化し揮発室（４）内を香気成分で満たし、開口（１３）部から香気通路（７）を経て、外部へ出て行く。
揮発室（４）の容積量は、図４で示すように、外方細径筒部（２６）の外径寸法を細くすれば、外周パイプ（２３）の内方取付孔（１６）との間隙量が増え、太くすると減り、揮発室（４）は０から最大容量まで、設計時点で、必要に応じ増減調節することができる。
【００５１】
さらに、揮発筒（１８）には、軸芯部分に調整孔（３３）を設けており、この調整孔（３３）容量を大きくすると香り溜り部が増え、ほのかな香りの保持時間を永くする事もできる。
上方香り発散方式「Ａ」では、前記状態の蓋体筒部（２）を、基本筒部（１）に嵌合部（３）を介して締め込むと、香りケース本体「Ｋ」となる。
【００５２】
次に、「２型」の香気保持体（５ａ）について、図５・図７・図１２で説明する。
外周パイプ（２３）（２３ａ）内部に、綿やスポンジ等の浸透性材から成る香気保持筒（１８ａ）を挿入した状態での香水液の流れは、香りケース本体を２分割した、筒体蓋部（２）の嵌合部（３）から外方に大きく突出する細管パイプ（１４）（１４ａ）の先端を香水液に浸すと、毛管現象で吸引される香水液が香液吸入端部（２８ａ）を経て、香気保持筒（１８ａ）内に吸い上げられる。
【００５３】
「２型」の、大きな浸透性材から成る香気保持筒（１８ａ）には、「１型」よりも多くの香気を保有することができ、開口（１３）部までの香気通過抵抗が「１型」より少なくなっており、香気を出し易くするものと成っている。
浸透性材は、外気接触表面積が大きいと、揮発量が大と成る性質を有するので、開口（１３）側である出口側近傍のみを、小面積の香気発散面とし、他の入口テーパー面側から筒体外周囲を、外周パイプ（２３）（２３ａ）の内面に押し付けて、発散を抑制し香気の保持力を高めている。
図１４で示す、通路付キャップ（２０ｂ）と、開口通路閉鎖壁（３７）の天井面（３８）利用の、有段階絞り方式とすると、更に香気発散を抑制し得る。
【００５４】
さらに、「３型」の香気保持体（５ｂ）について、図６・図７・図１３主体で説明する。
図６で示す「３型」の香気保持体（５ｂ）は、外周パイプ（２３）（２３ａ）や細菅パイプ（１４）（１４ａ）等を「１型」と同形部材とし、外周パイプ（２３）（２３ａ）内の下方に内装する短香気保持筒（１８ｂ）と、上方出口側に挿入する短揮発筒（１８ｃ）を、別部材としており、短香気保持筒（１８ｂ）は、綿やスポンジ等の浸透性材から成り、短揮発筒（１８ｃ）は「１型」と同素材とし、両部材を組み付けると図１３で示すように、「１型」で示す揮発筒（１８）全体と、外形を略同形状としている。
【００５５】
「３型」は、「１型」と「２型」の折衷案であり、以下、特徴点を説明する。
「１型」が、長期間に亘り仄かな香りを発散し、「２型」が、大きな浸透性材により多くの香気容量を保有し、絞り部を少なくして香気を出し易くするものに対し、「３型」構成は、中程度の浸透性材である短香気保持筒（１８ｂ）と、絞り部である短螺旋小溝（１７ｃ）とにより、細菅パイプ（１４）（１４ａ）から吸引する香水液を、短香気保持筒（１８ｂ）部の浸透性材中で液体又は気化させて保有し、絞り部である短螺旋小溝（１７ｃ）部に、液体又は気化状態の香気を作用させるから、小さな絞り部で目詰まりを生じ難くし香気の流れを阻害しない。
【００５６】
別形態の、下方香り発散方式「Ｂ」について、図２を主体に説明する。
下方香り発散方式「Ｂ」では、香りケース本体「Ｋ」を上下反転して使用するだけで、部材の形状に変更は無いので、作用や効果で異なっている点を主体に説明し、「Ａ」方式と変わらない点は省略する。
【００５７】
部材として、変更するものは、通路付キャップ（２０ａ）と密閉キャップ（１９ａ）のみであり、以下、説明する。
通路付キャップ（２０ａ）は、香りケース本体「Ｋ」の下端部に配する、蓋体筒部（２）の有底壁（６）に開口する香気通路（７）全体外周を覆う、着脱自在のキャップである。
密閉キャップ（１９ａ）は、クリップ（２１）を一体化しており、香りケース本体「Ｋ」の基本筒部（１）上端部に取り付けている。
【００５８】
この状態で、揮発室（４）や調整孔（３３）内の香気は、香気通路（７）からキャップの開口通路２２を経て、香りケース本体「Ｋ」の下部から外部に放出される。
香水液は、揮発筒（１８）の１本の微細な螺旋小溝（１７）内を毛細管現象にて進んで行くが、揮発室（４）入り口部の間隙が広くなり毛細管現象が起こらず、また、細管パイプ（１４）の小孔（３１）から新たな液補給も無いので、香水液が滴下漏出する恐れも生じず、安定した香気のみの発生を続けることができる。
【００５９】
また、先述のように、空隙（３５）部に各種のフィルター体（３６）を挿入挟持すると、香気揮発発散の時間長短を変更できる。
香気の外部への発散を止める時は、上下のキャップを差し替えて、密閉キャップ（１９ａ）で、香りケース本体「Ｋ」の下端部に設けた蓋体筒部（２）の有底壁（６）に開口する香気通路（７）全体を覆えば良い。
また、図例の香りケース本体では、上下両端部を径小筒部（１０）と径小蓋部（１１）としているが、中央部分の筒体と同径の両端部とし、キャップ側の内径を大きくしていても同効である。
【００６０】
本願発明の特徴は、揮発室または揮発開口部と、１本の通路から成る毛細管式の液吸上通路を内装した香気保持体とを、その吸液口である先端開口部を香水液中に浸けるだけで、微量の香水液を毛細管現象で揮発室開口部近傍までの微細部分に移動保管する「１型」香気保持体と、１本の通路から成る毛細管式の液吸上通路の中間部途中に香気を少し膨張保管する「３型」香気保持体と、１本の通路から成る毛細管式の液吸上通路の後半部を大きな浸透性材により多くの香気を保有して、放出可能香気を出し易くする「２型」香気保持体としたものである。
【００６１】
また、通路付キャップの開口通路を有段階で開閉することで、香気保持体の形態に関わらず香りケース内に配した香気保持体の発散香気を、必要に応じ香気通路を絞ったり開閉することで、ほのかな香りを低コストで長時間に亘って提供しようとするものである。
図例中で、クリップを有しない香りケース図１２・図１３・図１４では、両端のキャップの何れか、または、筒部、筒体の一部等に紐通し小孔部を設け、小孔に紐を付けてぶら下げれば良い。
また、各部材で透明材としての説明が特に無かった部材は、半透明材や不透明材や表面をメッキ等で処理し、それぞれの変化を楽しんで良い。
【符号の説明】
【００６２】
１    基本筒部                  ２    蓋体筒部
３    嵌合部                    ４    揮発室
５    香気保持体「１型」        ５ａ  香気保持体「２型」
５ｂ  香気保持体「３型」        ６    有底壁
６ａ  有底壁                    ７    香気通路
７ａ  香気通路                  ８    雄ネジ
９    雌ネジ                  １０    径小筒部
１１    径小蓋部                １２    取付孔
１３    開口                    １４    細管パイプ
１４ａ  細管パイプ              １５    筒状中間部
１６    内方取付孔              １７    螺旋小溝
１７ｃ  短螺旋小溝              １８    揮発筒
１８ａ  香気保持筒              １８ｂ  短香気保持筒
１８ｃ  短揮発筒                １９    密閉キャップ
１９ａ  密閉キャップ            ２０    通路付キャップ
２０ａ  通路付キャップ          ２０ｂ  通路付キャップ
２１    クリップ                ２２    開口通路
２２ａ  開口通路                ２３    外周パイプ
２３ａ  外周パイプ              ２４    テーパー
２５    案内溝                  ２６    外方細径筒部
２７    内方細径筒部            ２８    通過間隙
２８ａ  香液吸入端部            ２９    収納室
３０    内端細径軸筒            ３１    小孔
３２    先端開口部              ３３    調整孔
３４    径大内側孔              ３５    空隙
３６    フィルター体            ３７    開口通路閉鎖壁
３８    天井面                  ３９    香気筒「組」
４０    取付座                  ４１    小孔
Ａ    上方香り発散方式          Ｂ    下方香り発散方式
Ｄ    外径                      Ｆ    回転方向
Ｋ    香りケース本体
【図１】
2015091287.tif 000003
【図２】
2015091287.tif 000004
【図３】
2015091287.tif 000005
【図４】
2015091287.tif 000006
【図５】
2015091287.tif 000007
【図６】
2015091287.tif 000008
【図７】
2015091287.tif 000009
【図８】
2015091287.tif 000010
【図９】
2015091287.tif 000011
【図１０】
2015091287.tif 000012
【図１１】
2015091287.tif 000013
【図１２】
2015091287.tif 000014
【図１３】
2015091287.tif 000015
【図１４】
2015091287.tif 000016
【図１５】
2015091287.tif 000017
【図１６】
2015091287.tif 000018